(57)【要約】【課題】一人の作業で簡単に取付けができ、左右方向の取付け位置を調整できることに加え、容易な作業でガタつきなく取り付けることができる窓用格子体及び窓用格子体の取付方法を提供する。【解決手段】横格子１２を備えた格子本体１１と、前記格子本体１１を壁面５０に取り付けるために上下左右の４箇所に取り付けられる固定金具２０と、を備える。前記固定金具２０は、前記横格子１２に係合する凹部２５を備えている。前記固定金具２０のうち上部の２つの固定金具Ａ、Ｂは、前記凹部２５に前記横格子１２が載置可能となるように前記凹部２５が上向きに取り付けられる。また、前記固定金具２０のうち下部の２つの固定金具Ｃ、Ｄは、前記凹部２５で前記横格子１２を抑えるように前記凹部２５が下向きに取り付けられる。【選択図】図６
2014125838.tif 000002
【特許請求の範囲】
【請求項１】
横格子を備えた格子本体と、
前記格子本体を壁面に取り付けるために上下左右の４箇所に取り付けられる固定金具と、
を備えた窓用格子体であって、
前記固定金具は、前記横格子に係合する凹部が形成されたアーム部を備え、
前記固定金具のうち上部の２つの固定金具は、前記凹部に前記横格子が載置可能となるように前記凹部が上向きに取り付けられ、
前記固定金具のうち下部の２つの固定金具は、前記凹部で前記横格子を抑えるように前記凹部が下向きに取り付けられていることを特徴とする、窓用格子体。
【請求項２】
前記凹部の開放部を覆うように前記固定金具に取り付けられる補助金具を更に備えたことを特徴とする、請求項１記載の窓用格子体。
【請求項３】
横格子を備えた格子本体と、
前記格子本体を壁面に取り付けるために上下左右の４箇所に取り付けられる固定金具と、
を備えた窓用格子体の取付方法であって、
前記固定金具は、前記横格子に係合する凹部が形成されたアーム部を備え、
前記固定金具のうち上部の２つの固定金具を前記凹部が上向きになるように取り付けて、この上部の２つの固定金具の前記凹部に前記横格子を載置した後に、
前記固定金具のうち下部の２つの固定金具を前記凹部が下向きになるように取り付けて、この下部の２つの固定金具の前記凹部で前記横格子を抑えるようにしたことを特徴とする、窓用格子体の取付方法。
【請求項４】
前記固定金具に取り付けられる補助金具を更に備え、前記補助金具を前記凹部の開放部を覆うように取り付けたことを特徴とする、請求項３記載の窓用格子体の取付方法。
【発明の詳細な説明】
【技術分野】
【０００１】
この発明は、格子本体を壁面に取り付けるために上下左右の四隅に取り付けられる固定金具を備えた窓用格子体、及び、この窓用格子体の取付方法に関する。
【背景技術】
【０００２】
窓飾りなどの窓用格子体を躯体に取り付ける方法としては、ブラケットを格子本体の上下左右４箇所に取り付けて一体とした後に、このブラケットを一体的に取り付けた格子本体を躯体の取付位置に配置し、ブラケットの取付孔に貫通させたタッピングネジを躯体壁面に螺着させて固定する方法が知られている。
【０００３】
しかしながら、このような窓用格子体及び窓用格子体の取付方法の場合、格子本体を躯体の取付位置に位置させた状態でネジ留めを行うため、１人で施工するのは困難である。また、ブラケットを予め格子本体に取り付けてしまうため、躯体への取付位置を予め正確に決めておかなければならない。しかも、躯体にブラケットを固定してしまうと、上下位置の調整は困難であり、左右位置の調整においても格子本体からブラケットを取り外す必要がある。
【０００４】
この点、特許文献１には、一人の作業で簡単に取付けできると共に、左右方向の取付け位置を調整できるようにした柵が開示されている。この特許文献１記載の柵においては、横向部（横格子）を有する柵本体と、この柵本体を被取付部に取付ける取付金具を備え、その取付金具は第１金具と第２金具を有し、その第１金具は横向部が載置される載置部と横向部の一面が接する支持縦部を備え、前記第２金具は横向部の他面に押しつけられる押え縦部を備え、この押え縦部と支持縦部で横向部を挟持して取付けるようにしている。
【先行技術文献】
【特許文献】
【０００５】
【特許文献１】特開２００４−２６３４６５号公報
【発明の概要】
【発明が解決しようとする課題】
【０００６】
しかし、上記した特許文献１記載の技術では、窓開口部の上下左右縁に４つの第１金具を予め固着し、この第１金具に柵本体を載置して仮置きするものであるため、４つの第１金具の取付位置が正確でないとガタつきが発生する可能性がある。また、ネジ留めする箇所も多いため、より簡便に取り付けられる窓用格子体が求められていた。
【０００７】
そこで、本発明は、一人の作業で簡単に取付けができ、左右方向の取付け位置を調整できることに加え、容易な作業でガタつきなく取り付けることができる窓用格子体及び窓用格子体の取付方法を提供することを課題とする。
【課題を解決するための手段】
【０００８】
本発明は、上記した課題を解決するためになされたものであり、以下を特徴とする。
【０００９】
（請求項１）
請求項１に記載の窓用格子体は、横格子を備えた格子本体と、前記格子本体を壁面に取り付けるために上下左右の４箇所に取り付けられる固定金具と、を備えた窓用格子体であって、前記固定金具は、前記横格子に係合する凹部が形成されたアーム部を備え、前記固定金具のうち上部の２つの固定金具は、前記凹部に前記横格子が載置可能となるように前記凹部が上向きに取り付けられ、前記固定金具のうち下部の２つの固定金具は、前記凹部で前記横格子を抑えるように前記凹部が下向きに取り付けられていることを特徴とする。
【００１０】
（請求項２）
請求項２に記載の発明は、上記した請求項１記載の発明の特徴点に加え、以下の点を特徴とする。
【００１１】
すなわち、前記凹部の開放部を覆うように前記固定金具に取り付けられる補助金具を更に備えたことを特徴とする。
【００１２】
（請求項３）
請求項３に記載の窓用格子体の取付方法は、横格子を備えた格子本体と、前記格子本体を壁面に取り付けるために上下左右の４箇所に取り付けられる固定金具と、を備えた窓用格子体の取付方法であって、前記固定金具は、前記横格子に係合する凹部が形成されたアーム部を備え、前記固定金具のうち上部の２つの固定金具を前記凹部が上向きになるように取り付けて、この上部の２つの固定金具の前記凹部に前記横格子を載置した後に、前記固定金具のうち下部の２つの固定金具を前記凹部が下向きになるように取り付けて、この下部の２つの固定金具の前記凹部で前記横格子を抑えるようにしたことを特徴とする。
【００１３】
（請求項４）
請求項４に記載の発明は、上記した請求項３記載の発明の特徴点に加え、以下の点を特徴とする。
【００１４】
すなわち、前記固定金具に取り付けられる補助金具を更に備え、前記補助金具を前記凹部の開放部を覆うように取り付けたことを特徴とする。
【発明の効果】
【００１５】
請求項１及び３に記載の発明は上記の通りであり、固定金具のうち上部の２つの固定金具は、凹部に横格子が載置可能となるように凹部が上向きに取り付けられ、固定金具のうち下部の２つの固定金具は、凹部で横格子を抑えるように凹部が下向きに取り付けられる。このため、まず上部の２つの固定金具を壁面に取り付ければ、この上部の２つの固定金具の凹部に格子本体を仮置きできるので、一人でも容易に取付け作業を行うことができる。また、仮置きした状態で格子本体を左右に移動させることで、容易に左右方向の取付け位置を調整することができる。また、上部の２つの固定金具の凹部に格子本体を仮置きした後に下部の２つの固定金具を取り付けることで、４つの固定金具のみで格子本体が抜けないように固定できるため、容易にガタの調整をすることができる。
【００１６】
また、請求項２及び４に記載の発明は上記の通りであり、前記凹部の開放部を覆うように前記固定金具に取り付けられる補助金具を更に備えているため、更に確実にガタつきなく格子本体を固定することができる。
【図面の簡単な説明】
【００１７】
【図１】窓用格子体の外観図である。
【図２】窓用格子体の（ａ）平面断面図（Ｘ−Ｘ断面図）、（ｂ）一部拡大平面断面図（Ｚ部拡大図）である。
【図３】窓用格子体の側面断面図（Ｙ−Ｙ断面図）である。
【図４】固定金具の（ａ）平面図、（ｂ）正面図、（ｃ）側面図である。
【図５】補助金具の（ａ）正面図、（ｂ）側面図である。
【図６】窓用格子体の取付方法を説明する図である。
【発明を実施するための形態】
【００１８】
本発明の実施形態について、図を参照しながら説明する。
【００１９】
本実施形態に係る窓用格子体１０は、窓５１の外側の少なくとも一部を覆うように取り付けられる窓飾りであり、図１に示すように、格子本体１１の上下左右の４箇所をそれぞれ固定金具２０と補助金具３０とで固定したものである。
【００２０】
格子本体１１は、上下に複数（本実施形態においては２本）の横格子１２を備えており、この横格子１２の間に複数の縦格子１３を架設することで面材を形成している。
【００２１】
固定金具２０は、躯体の壁面５０に固定ネジ４１（例えばタッピングネジ）によって固定される部材である。この固定金具２０は、図４に示すように、壁面固定部２１とアーム部２４とが直交して設けられることで、平面視略Ｌ字形を形成する金具である。なお、壁面固定部２１とアーム部２４との間の角部内側には補強リブ２８が設けられている。
【００２２】
壁面固定部２１は、図２及び図３に示すように、躯体の壁面５０に当接して固定される部位である。この壁面固定部２１には、図４に示すように、固定ネジ４１を貫通させるために上下に２つの孔が設けられている。詳しくは、上部には上下方向に延びる長孔２２が設けられており、下部には真円形状の固定孔２３が設けられている。このため、固定金具２０を壁面５０に固定する際には、まず長孔２２に固定ネジ４１を貫通させて固定をすることで、長孔２２に沿って上下方向に位置調整をできるようになっている。そして上下位置が確定したら、固定孔２３に固定ネジ４１を貫通させて本固定をすることができる。なお、固定金具２０を壁面５０に取り付ける際には、後述する側面支持部２６が内向きとなるように取り付けることで、側面支持部２６や補助金具３０を内側に隠すことができ、意匠性を向上させることができる。
【００２３】
アーム部２４は、図２及び図３に示すように、壁面固定部２１を壁面５０に固定したときに壁面５０に対して直交方向に突出する部位である。このアーム部２４の先端付近には横格子１２に係合する凹部２５が形成されている。この凹部２５は、図４に示すように、前辺２５ａと下辺２５ｂと後辺２５ｃとによって前後と下方とを囲まれた略コ字状で形成されている。なお、アーム部２４の先端には上方に突出するように立上り片２９が設けられており、凹部２５の前辺２５ａはこの立上り片２９の内側部によって形成されている。この凹部２５は、格子本体１１の横格子１２の横幅（奥行き方向の幅）よりもやや大きく設定されており、横格子１２が奥行き方向にやや余裕をもって係合するように形成されている。
【００２４】
凹部２５の壁面５０側の側部には、図４に示すように、アーム部２４に対して略直角、かつ、壁面固定部２１とは逆方向に突出する側面支持部２６が設けられている。この側面支持部２６は、後辺２５ｃと連続する面を有しており、凹部２５に係合した横格子１２の側面に当接可能となっている（図２（ｂ）参照）。
【００２５】
また、アーム部２４には上下に２つのネジ孔２７が設けられている。このネジ孔２７は、凹部２５よりも壁面５０側に設けられ、後述する補助金具３０を固定するために使用される。なお、このネジ孔２７は水平方向に延びる長孔として形成されており、補助金具３０の水平方向の固定位置を調整できるように形成されている。
【００２６】
補助金具３０は、図５に示すように、中間片３２の上下に上片３１と下片３３とが略平行に設けられた略コ字状のフラットな金具である。この補助金具３０の略コ字状の内側は、格子本体１１の横格子１２と係合する係合部３４となっている。この係合部３４は、上辺３４ａと側辺３４ｂと下辺３４ｃとによって上下と側方とを囲まれた略コ字状で形成されており、上辺３４ａと下辺３４ｃとの間隔は奥側（中間片３２寄り）に行くに従って幅狭となっている。そして、最奥部における上辺３４ａと下辺３４ｃとの間隔は横格子１２の縦幅と略同じ幅となっており、固定金具２０に補助金具３０を奥まで取り付けたときに、上辺３４ａと下辺３４ｃとで横格子１２の上下をしっかりと固定できるように形成されている。
【００２７】
この補助金具３０は、上片３１と下片３３との先端付近に設けられたネジ孔３５によって固定金具２０のアーム部２４に固定される。アーム部２４に固定するときには、アーム部２４の内側面（側面支持部２６が突出している面）に沿って、壁面５０に向かって前方向から補助金具３０を差し込む。そして、固定金具２０のネジ孔２７と補助金具３０のネジ孔３５とを貫通するように小ネジ４２を取り付け、上下２箇所で固定する。これにより、図２及び図３に示すように、横格子１２の側面は固定金具２０の側面支持部２６（及び凹部２５の後辺２５ｃ）と補助金具３０の係合部３４の側辺３４ｂとで挟み込まれて確実に固定され、横格子１２の上下面は補助金具３０の上辺３４ａと下辺３４ｃとで挟み込まれて確実に固定される。なお、上辺３４ａと下辺３４ｃとの間隔は奥側に行くに従って次第に狭くなるように形成されているため、補助金具３０を取り付ける際に、横格子１２に対して係合部３４を差し込み易くなっている。
【００２８】
次に、図６を参照しつつ、窓用格子体１０の取付方法について説明する。
【００２９】
まず、図６（ａ）に示すように、上部の２つの固定金具Ａ、Ｂを凹部２５が上向きになるように取り付ける。このとき、まず固定金具Ａ、Ｂの長孔２２を使用して壁面５０に固定ネジ４１を打ち込む。この状態では、固定金具Ａ、Ｂは長孔２２の上下幅の分だけ上下に位置調整可能な状態となっている。そして、固定金具Ａ、Ｂの平行位置（上下位置）を調整したのちに固定金具Ａ、Ｂの固定孔２３を使用して壁面５０に固定ネジ４１を打ち込み、本固定を行う。
【００３０】
上部の固定金具Ａ、Ｂを取り付けたら、図６（ｂ）に示すように、この上部の固定金具Ａ、Ｂの凹部２５に対して、格子本体１１の上部の横格子１２を載置する。
【００３１】
その後、図６（ｃ）に示すように、下部の２つの固定金具Ｃ、Ｄを凹部２５が下向きになるように取り付ける。このとき、固定金具Ｃ、Ｄの凹部２５によって、下部の横格子１２を抑えるようにすることで、格子本体１１が固定金具２０から抜けないように固定できるとともに、上下にガタつきが発生しないように固定することができる。
【００３２】
下部の２つの固定金具Ｃ、Ｄを固定ネジ４１で固定したら、図６（ｄ）に示すように、固定金具２０の凹部２５の開放部を覆うように補助金具３０を取り付ける。そして、小ネジ４２で固定金具２０と補助金具３０とを固定し、窓用格子体１０の取り付けが完了する。
【００３３】
以上説明したように、本実施形態によれば、固定金具２０のうち上部の２つの固定金具Ａ、Ｂは、凹部２５に横格子１２が載置可能となるように凹部２５が上向きに取り付けられ、固定金具２０のうち下部の２つの固定金具Ｃ、Ｄは、凹部２５で横格子１２を抑えるように凹部２５が下向きに取り付けられる。このため、まず上部の２つの固定金具Ａ、Ｂを壁面５０に取り付ければ、この上部の２つの固定金具Ａ、Ｂの凹部２５に格子本体１１を仮置きできるので、一人でも容易に取付け作業を行うことができる。また、仮置きした状態で格子本体１１を左右に移動させることで、容易に左右方向の取付け位置を調整することができる。また、上部の２つの固定金具Ａ、Ｂの凹部２５に格子本体１１を仮置きした後に下部の２つの固定金具Ｃ、Ｄを取り付けることで、４つの固定金具２０のみで格子本体１１が抜けないように固定できるため、容易にガタの調整をすることができる。
【００３４】
また、前記凹部２５の開放部を覆うように前記固定金具２０に取り付けられる補助金具３０を更に備えているため、更に確実にガタつきなく格子本体１１を固定することができる。
【００３５】
なお、上記した実施形態においては、アーム部２４の先端において上方に突出するように立上り片２９を設け、この立上り片２９の内側部によって凹部２５の前辺２５ａを形成したが、この立上り片２９は省略してもよい。すなわち、横格子１２の外側部は補助金具３０の側辺３４ｂで保持されるため、立上り片２９を省略することも可能である。
【００３６】
また、上記した実施形態においては、補助金具３０を使用したが、固定金具２０のみで格子本体１１を固定してもよい。また、補助金具３０を使用する場合でも、補助金具３０の形状は略コ字状に限らず、固定金具２０の凹部２５の開放部を覆うものであればよい。例えばＬ字状の補助金具３０を使用してもよい。
【符号の説明】
【００３７】
１０  窓用格子体
１１  格子本体
１２  横格子
１３  縦格子
２０  固定金具
２１  壁面固定部
２２  長孔
２３  固定孔
２４  アーム部
２５  凹部
２５ａ  前辺
２５ｂ  下辺
２５ｃ  後辺
２６  側面支持部
２７  ネジ孔
２８  補強リブ
２９  立上り片
３０  補助金具
３１  上片
３２  中間片
３３  下片
３４  係合部
３４ａ  上辺
３４ｂ  側辺
３４ｃ  下辺
３５  ネジ孔
４１  固定ネジ
４２  小ネジ
５０  壁面
５１  窓
Ａ、Ｂ  上部の固定金具
Ｃ、Ｄ  下部の固定金具
【図１】
2014125838.tif 000003
【図２】
2014125838.tif 000004
【図３】
2014125838.tif 000005
【図４】
2014125838.tif 000006
【図５】
2014125838.tif 000007
【図６】
2014125838.tif 000008